(57)【要約】【課題】複数の電線を通電させるために、通電部分を別途に設ける必要がなく、さらには、通電のための施工作業が別途に必要でなく、安定した通電構造を得られる通電用インシュロックを提供する。【解決手段】インシュロックに、複数の結束された電線１５を通電させる金属部１７を備える。この金属部１７は、電線１５の被服１５Ａを貫通するに十分なほど先端が鋭利な突起１９を形成する。この突起１９は、円錐形状を有する。突起１９の先端が、電線１５の被服１５Ａを貫通し、電線１５内部の金属に食い込んで、通電を行う。【選択図】図1
2007141630.tif 000002
【特許請求の範囲】
【請求項１】
ベース部と、このベース部から延設される可撓性のベルト体と、このベルト体に所定ピッチで形成される複数の係止突起と、前記ベース部に形成されて前記ベルト体の先端が挿通される挿通孔と、この挿通孔の内部又は縁部に形成されて前記係止突起が係止する係止部と、を有することで、前記ベルト体を前記挿通孔に通してループ状にし電線を結束できるインシュロックにおいて、前記ベース部に、複数の前記結束された電線を通電させる金属部を備えたことを特徴とする通電用インシュロック。
【請求項２】
前記金属部は、電線の被服を貫通するに十分なほど先端が鋭利な突起を形成することを特徴とする請求項１に記載の通電用インシュロック。
【請求項３】
前記突起は、円錐、または多角錐であることを特徴とする請求項２に記載の通電用インシュロック。
【発明の詳細な説明】
【技術分野】
【０００１】
この発明は、電線を結束できるインシュロックの構造に関する。
【背景技術】
【０００２】
インシュロックは、ベルト体を、ベルト体の端部に形成される挿通孔に通してループ状にし、このループ状の部分で電線などを結束できる。このインシュロックを用いて、電気的な接続を行う技術が下記の特許文献１に記載される。
【特許文献１】特開平８−２８７９７９
【発明の開示】
【発明が解決しようとする課題】
【０００３】
しかしながら、特許文献１はインシュロックのベルト体によって、通電部分を上から押さえて固定するものであり、インシュロックには通電の機能はない。このため、通電部分は別途に設ける必要があり、通電部分を施工するための施工作業が別途に必要になる。
【０００４】
この発明は、以上の問題点を解決するために、通電部分を別途に設ける必要がなく、さらには、通電のための施工作業が別途に必要でなく、安定した通電構造を得られる通電用インシュロックを提供することを目的とする。
【課題を解決するための手段】
【０００５】
以上の課題を解決するために、第一発明は、ベース部と、このベース部から延設される可撓性のベルト体と、このベルト体に所定ピッチで形成される複数の係止突起と、前記ベース部に形成されて前記ベルト体の先端が挿通される挿通孔と、この挿通孔の内部又は縁部に形成されて前記係止突起が係止する係止部と、を有することで、前記ベルト体を前記挿通孔に通してループ状にし電線を結束できるインシュロックにおいて、前記ベース部に、複数の前記結束された電線を通電させる金属部を備えたことを特徴とする通電用インシュロックである。
【０００６】
第二発明は、さらに、前記金属部は、電線の被服を貫通するに十分なほど先端が鋭利な突起を形成することを特徴とする通電用インシュロックである。
第三発明は、さらに、前記突起は、円錐、または多角錐であることを特徴とする通電用インシュロックである。
【発明の効果】
【０００７】
第一発明によれば、複数の電線の通電部分を露出させ、この露出部分に、ベース部の金属部を接触させた状態で、ベルト体による結束を行えば、通電部分を別途に設けなくても、安定した通電構造を得られる。
第二発明によれば、複数の電線をそのままの状態で、ベルト体による結束を行えば、金属部の突起が強く電線に押圧され、この突起が電線の被服を貫通するので、通電部分を別途に設けなくても、さらには、通電部分を露出させるなどの通電のための施工作業を行わなくても、安定した通電構造を得られる。
【発明を実施するための最良の形態】
【０００８】
この発明の実施形態を、図１及び図２に示す。
樹脂製のベース部１は略立方体形状をなし、このベース部１の上面３の端から一体的に可撓性のベルト体５が延設される。このベルト体５の片面７、すなわちベース部１に対抗する面には、所定ピッチで複数の係止突起９が、波状に形成される。各係止突起９の断面は、垂直面を有する直角三角形である。
【０００９】
ベース部１の上面３には、前記ベルト体５が延設される端とは反対側の端に、このベルト体５の先端が挿通される挿通孔１１が形成される。この挿通孔１１の内部には、挿通孔１１の内壁に沿ってベルト体５の係止突起９が係止する係止部１３が、複数形成される。この複数の係止部１３は、ベルト体５の係止突起９の波状とは、反対向きの形状を有する波状となっている。
【００１０】
これにより、ベルト体５に引き抜く力がかかったときに、両波状の部分は、垂直面でしっかり係止する。のみならず、ベルト体５が挿通される方向に力がかかったときは、波状の直角三角形の斜辺に相当する斜面で、両波状の部分は滑り、容易に挿通がなされる。
ベルト体５は挿通孔１１に挿通されることでループ状になり、このループ状の部分で、電線１５を強く結束できる。
【００１１】
そして、ベース部１の上面３には、導電性を有する金属部１７により複数の突起１９が形成される。各突起１９は、円錐の形状を有し、電線１５のビニールなどの被服１５Ａを貫通するに十分なほど先端が鋭利に形成される。また、各突起１９は、金属部１７の板状部分２１の上に形成され、よって底部の部分が連続しているので、互いに通電する。
【００１２】
「実施形態の効果」
この実施形態によれば、複数の電線１５、通常は２本の電線１５を、被服１５Ａで覆われた通常のままの状態で、ループ状のベルト体５に通し、ベルト体５の先端を挿通孔１１の反対側から引っ張れば、ベルト体５により２本の電線１５は強く結束され、同時に、金属部１７の突起１９が強く電線１５に押圧される。この押圧により、突起１９が電線１５の被服１５Ａを貫通するので、電線１５の内部の金属１５Ｂに強く接触する。また、この強い接触は、ベルト体５により耐久性を有して、維持される。
【００１３】
電線１５の金属１５Ｂは、銅製であること、あるいは細線の束であること、などから柔らかな性質を有するので、鋭利な突起１９は、この電線１５の金属１５Ｂにまで容易に貫通し、食い込んで、しっかり電通を確保する。
このため、通電部分を別途に設けなくてもよい。さらには、通電部分を露出させるなどの通電のための施工作業を行わなくてもよい。そして、インシュロックの耐久性により、安定した通電構造を得られる。
【００１４】
「他の実施形態」
以上の実施形態では、 金属部分の突起１９は、円錐形状であったが、他の実施形態では、他の形状、たとえば多角錐であっても良い。貫通性を高めるために、針状にすることも可能である。
【００１５】
以上の実施形態では、通電を行う金属部１７は、電線１５の被服１５Ａを貫通するに十分なほど先端が鋭利な突起１９を形成するものであったが、他の実施形態では、貫通する突起１９を形成せず、複数の電線１５の通電部分を露出させ、この露出部分に、ベース部１の金属部１７を接触させた状態で、ベルト体５による結束を行うこともできる。この場合には、貫通はないので、通電部分を露出させるなどの作業は必要であるが、通電部分を別途に設けなくても良いという効果を得られる。また、インシュロックの耐久性により、安定した通電構造を得られる。
【図面の簡単な説明】
【００１６】
【図１】この発明の一実施形態を示す斜視図である。
【図２】図１の縦断面図である
【符号の説明】
【００１７】
１…ベース部、３…上面、５…ベルト体、７…片面、９…係止突起、１１…挿通孔、１３…係止部、１５…電線、１７…金属部、１９…突起、２１…板状部分。
【図１】
2007141630.tif 000003
【図２】
2007141630.tif 000004